(57)【要約】  【課題】  本体ボデーの軸線方向に沿って形成された保持孔によって、筆記体が軸線方向のほぼ全域に渡ってガイドされている。よって、筆記体が湾曲し、隣り合う筆記体と接触してしまうと言った問題は解決されているが、本体ボデーの軸心と筆記体の軸心が異なってしまっているため、筆記する際に違和感が生じてしまっていた。  【解決手段】  軸本体内に複数の筆記体を有し、該筆記体は弾撥部材により後方に付勢されているが、筆記体の後方に取り付けられているスライダーを前進せしめ、該スライダーを軸本体内に係合させることにより、前記各筆記体を軸本体に形成された１箇所の突出孔から各々突出させるが如くなした多芯筆記具において、前記突出孔の近傍に各筆記体を個別に囲繞する案内部を内設した多芯筆記具。【選択図】  図１
2009078484.tif 000002
【特許請求の範囲】
【請求項１】
軸本体内に複数の筆記体を有し、該筆記体は弾撥部材により後方に付勢されているが、筆記体の後方に取り付けられているスライダーを前進せしめ、該スライダーを軸本体内に係合させることにより、前記各筆記体を軸本体に形成された１箇所の突出孔から各々突出させるが如くなした多芯筆記具において、前記突出孔の近傍に各筆記体を個別に囲繞する案内部を内設したことを特徴とする多芯筆記具。
【請求項２】
前記案内部を軸本体に対して回転自在に配置したことを特徴とする請求項１記載の多芯筆記具。
【請求項３】
前記案内部を軸本体に形成したことを特徴とする請求項１記載の多芯筆記具。
【請求項４】
前記軸本体の前方部に円錐部を形成すると共に、その円錐部の後方に前記案内部を内設したことを特徴とする請求項１〜請求項３の何れかに記載の多芯筆記具。
【発明の詳細な説明】
【技術分野】
【０００１】
本発明は、軸本体内に複数の筆記体を有し、該筆記体は弾撥部材により後方に付勢されているが、筆記体の後方に取り付けられているスライダーを前進せしめ、該スライダーを軸本体内に係合させることにより、前記筆記体を軸本体から突出させるが如くなした多芯筆記具に関するものであり、前記筆記体の１例としては、ボールペンリフィルやシャープペンシルユニットなどが挙げられる。
【背景技術】
【０００２】
１例として、筆記体と連接した複数の作動子（ノック部材）を後軸の窓孔から突出させた状態で配置し、その作動子を軸筒の先方に摺動させることにより選択的に筆記部を軸筒の先端開口から突出させるようにした多芯筆記具が知られている。前記後軸の前方には、継手が嵌着しており、その継手の前方には、前軸が取り外し可能に連結されている。
その前軸は、先端方に向かい徐々に径が小さくなっている。勿論、内面形状も徐々に小さくなっており、円錐形状の内面となっている。また、軸筒（前軸）に内設された複数の隣り合う筆記体間には、隙間、即ち、空間が形成されていると共に、軸筒（前軸）の内面との間にも空間が形成されている。
しかしながら、前軸の内側が先端方向に徐々に径が小さくなっていく構造では、前軸の内面と筆記体間、また、隣り合う筆記体間に空間があるため、突出した筆記状態にある筆記体に筆圧が掛かると、その筆記状態にある筆記体の湾曲が軸筒の内部で増加し、この湾曲の増加に伴って没入状態にある他の筆記体に接触することになる。この接触により１回目の衝撃が把持している指に伝達される。更に筆圧が増加すると、筆記状態にある筆記体の湾曲がさらに増加し、前記接触状態にある他の筆記体を移動させると共に、その移動に伴い接触が解除され、その解除に伴う勢いで筆記状態にある筆記体が軸の内面に衝突する。この衝突が２回目の衝撃となる。この様に、筆圧如何によっては、２段回の衝撃を受けることになり、筆記感を著しく損ねてしまっていた。
【０００３】
そこで、本体ボデーと、この本体ボデーの内部あるいは周囲に非分離的に付属され、かつ、各軸線が互いにほぼ平行となるように配置されている複数本の筆記体とを備え、各筆記体はその軸線が本体ボデーの軸線に対して側方に偏位しており、かつ、本体ボデーに対し、筆記部が所定量突出する筆記状態と、その筆記状態より筆記部が退避する収納状態との間を軸心方向にスライド可能となっている筆記具が開発された。即ち、本体ボデーには、各筆記体が各々突出する保持孔が各々形成されている。
【特許文献１】実開平４−０６７０８７号公報。
【特許文献２】実開平４−１０２８８８号公報。
【発明の開示】
【発明が解決しようとする課題】
【０００４】
前記従来技術にあっては、本体ボデーの軸線方向に沿って形成された保持孔によって、筆記体が軸線方向のほぼ全域に渡ってガイドされている。よって、筆記体が湾曲し、隣り合う筆記体と接触してしまうと言った問題は解決されているが、本体ボデーの軸心と筆記体の軸心が異なってしまっているため、筆記する際に違和感が生じてしまっていた。
【課題を解決するための手段】
【０００５】
本発明は、軸本体内に複数の筆記体を有し、該筆記体は弾撥部材により後方に付勢されているが、筆記体の後方に取り付けられているスライダーを前進せしめ、該スライダーを軸本体内に係合させることにより、前記各筆記体を軸本体に形成された１箇所の突出孔から各々突出させるが如くなした多芯筆記具において、前記突出孔の近傍に各筆記体を個別に囲繞する案内部を内設したことを要旨とする。
【発明の効果】
【０００６】
本発明は、軸本体内に複数の筆記体を有し、該筆記体は弾撥部材により後方に付勢されているが、筆記体の後方に取り付けられているスライダーを前進せしめ、該スライダーを軸本体内に係合させることにより、前記各筆記体を軸本体に形成された１箇所の突出孔から各々突出させるが如くなした多芯筆記具において、前記突出孔の近傍に各筆記体を個別に囲繞する案内部を内設したので、過大な筆圧による筆記体の衝撃を極力防止することができ、その結果、良好な筆記感が得られる。
【発明を実施するための最良の形態】
【０００７】
図１〜図６に示し説明する。黒色や赤色、青色、の３色からなるボールペンが摺動自在に配置されている多芯筆記具である。ボールペンばかりではなく、シャープペンシルを適宜組み合わせても良い。参照符号１は、軸本体であり、その軸本体１は、前軸２と後軸３とより構成されている。また、本例において、前軸２は、先部材４と中軸５の螺合構造により構成されているが、一体的に形成されていても良い。
前記後軸３には、その長手方向に３個のスリット６が形成されている。本例においては、３個のスリット６が形成されているが、筆記体であるボールペンの数が３本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外径方向に向かって拡開するほぼ扇形をした脚部８が形成されている。この脚部８は、スリット６が形成されることにより形成される。よって、筆記体の数によって脚部８の数は変わる。その脚部８の外接円径は、後軸３の最大外径よりも小さく形成されている。即ち、後軸３の最大外径部と脚部８との連結部分には、段部（鍔部）３ｂが形成されている。また、前記後軸３の脚部８には、中軸５の内壁に当接する突状のリブ８ａが形成されている。また、その中軸５の後端面にも突状のリブ５ａが形成されているが、このリブ５ａは中軸５の後端面の全周に渡って形成されているのではなく、部分的に形成されている。具体的には、等間隔な４箇所に形成されている。また、本例では、そのリブ５ａは、中軸５の内周面の延長上に形成されているが、これに限定されることなく、リブ５ａは後軸３の段部（鍔部）３ｂと当接する位置であれば、前記中軸５の後端面のどの位置に形成しても良い。これら脚部８のリブ８ａや中軸５のリブ５ａは、後述する溶着固定するための溶融部となっている。即ち、脚部８のリブ８ａは中軸５の内面と当接し溶着・固定され、また、中軸５のリブ５ａが鍔部３ａの下端と当接し溶着・固定される。
【０００８】
前記後軸３のスリット６には、スライダー１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、スライダー１１の前端部には、筆記体を接続する球状の接続部１５が形成されている。そして、この接続部１５には、ボールペンやシャープペンシルなどの筆記体１６が接続されている。参照符号１７は、筆記体１６並びに筆記体１６に接続するスライダー１１を後方に付勢するコイルスプリングなどの弾撥部材である。
【０００９】
前記前軸２の１部材である中軸５の中間部には、規制部１８が形成されており、その規制部１８には、筆記体１６が遊挿する３つの貫通孔１９が形成されており、前記規制部１８に弾撥部材１７の一端を係止させることにより、筆記体１６を後方に付勢している。また、中軸５の内側で、規制部１８の後方には、長手方向に３つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外径方向に向かって拡開する扇形を形成している。
また、前記溝部２０には後軸３の脚部８と当接しない高さで、且つ、前記後軸３の脚部８に形成されたリブ８ａの外接径より小さいリブ２０ａが形成されている。前記溝部２０に形成されたリブ２０ａは、組立て時に前記後軸３と中軸５を溶着固定するまで間、容易に後軸３が中軸５から抜けないようにするためのものである。
また、前記後軸３と中軸５は超音波溶着による固定ではなく、接着や単なる凹凸嵌合（係合）などであっても良く、或いは、後軸３と中軸５を一体成形などしても良い。
【００１０】
前記前軸２の１部材である先部材４は、前記中軸５に対して螺合により着脱自在に固定されている。この先部材４と中軸５とを一体的に形成しても良いが、筆記体１６の交換や成形の容易性を考慮すると２部材とし、着脱自在に固定した方が良い。
また、この先部材４の内径部はペン先側へ向かって徐々に径が小さくなっており、円錐形状の内形（円錐部１０）を有しているが、その円錐部１０の中間部には前記筆記体１６を軸本体１の中心軸線上に向けて付勢する小径部１０ａが先部材４と一体に形成されている。そして、先部材４の先端には、前記筆記体１６が出没する突出孔２１が形成されている。
また、先部材４の中間部であって、前記小径部１０ａの後方には案内部材２２が挿着されている。その案内部材２２には、３個の貫通孔２２ａが形成されており、前記各筆記体１６がそれぞれ貫通している。尚、この案内部材２２は、先部材４の内面の前後に形成された段部（４ａ、ａｂ）によって後方へ脱落しないように、また、先部材４に対して回転が可能なものとなっている。先部材４を螺合により中軸５に対して着脱する際、筆記体１６は案内部材２２に形成された貫通孔２２ａに挿入された状態にある。そこで、案内部材２２を先部材４の回転に対して相対的に回転自在となすことによって、案内部材２２が静止状態を保つことができるようにしている。これにより、先部材４が中軸５に対して螺合（回転）により着脱することが可能となる。
【００１１】
ここで、案内部材２２の貫通孔２２ａの内径は、筆記体１６の外径よりも若干大きな内径となっている。筆記体１６が出没する際、スムーズに摺動させるためである。この案内部材２２は、なるべく先部材４の前方に配置するのが好ましいが、筆記体１６が突出する際に変形する湾曲動作を妨げてしまうため、先部材４の円錐部１０の若干後方に配置するのが好ましい。
【００１２】
第２例を図７、図８に示し説明する。前記中軸を前方に向け延設すると共に、先部材を短くした例である。本例の中軸２３は中実（中実部２４）となっているが、その中実部２４には、３個の貫通孔２４ａが形成されており、前記各筆記体１６がそれぞれ貫通している。即ち、本例においては、この中実部２４が筆記体１６の案内部となっており、中軸２３に一体成形した例となっている。案内部を一体成形することによって、部品コストを安価に抑えることができると共に、組み立てに費やす工程数も削減することができる。
【００１３】
次に動作について説明する。図１に示す状態から特定のスライダー１１を前方（図中下方）に押圧すると、スライダー１１は、スリット６並びに摺動溝７に案内されながら、筆記体１６を伴い前進し、筆記体１６の先端が軸本体１の先端より突出する。と、同時に、スライダー１１が軸筒本体１の内側に押し込まれ、次いで、スライダー１１の側面部に形成されている摺動突起１２の後端が、摺動溝７の前端部に係合し、筆記体１６の後退作用を阻止する。つまり、この摺動溝７をスリット６の中間部までしか形成しないことにより、スライダー１１の係合をも兼ねるようになっている。
この筆記体１６の突出過程で、その筆記体１６は前記案内部材２２（中実部２４）によって、該部分における湾曲が防止される。即ち、筆記体１６の前方部分の湾曲が防止される。尚、円錐部１０に位置する部分の筆記体１６は湾曲するが、その湾曲した部分の上方部が案内部材２２によって規制されているため、筆記圧を掛けても他の筆記体１６への接触が防止される。また、万が一、接触したとしても、案内部材２２によって各筆記体１６の移動が規制されているため、位置ずれなどによる衝撃が防止させる。
次に、筆記体１６を軸本体１に収納したい場合には、他のスライダー１１を押圧する。他のスライダー１１を押圧すると、互いのスライダー１１の背面に形成されている解除突起１３、１４が衝突する。この衝突作用により、押圧されている状態にあるスライダー１１が軸筒本体１の外側方向に押圧される。そして、この押圧作用により、前記スライダー１１の摺動突起１２と摺動溝７との係合が解除され、その解除作用により突出している状態にある筆記体１６が弾撥部材１７の作用により後退し軸本体１内に没入する。
【図面の簡単な説明】
【００１４】
【図１】本発明の１例を示す縦断面図。
【図２】本発明の１例を示す筆記状態の縦断面図。
【図３】案内部材を示す外観斜視図。
【図４】図１のＡ−Ａ線断面図。
【図５】図１のＢ−Ｂ線断面図。
【図６】図１のＣ−Ｃ線断面図。
【図７】本発明の２例を示す縦断面図。
【図８】本発明の２例を示す筆記状態の縦断面図。
【符号の説明】
【００１５】
１      軸本体
２      前軸
３      後軸
３ａ    係合部
３ｂ    段部（鍔部）
４      先部材
５      中軸
５ａ    リブ（溶着リブ）
６      スリット
７      摺動溝
８      脚部
８ａ    リブ
８ｂ    太径部
８ｃ    細径部
９      クリップ部
１０    円錐部
１０ａ  小径部
１１    スライダー
１２    摺動突起
１３    解除突起
１４    解除突起
１５    接続部
１６    筆記体
１６ａ  筆記体（筆記状態）
１７    弾撥部材
１８    規制部
１９    貫通孔
１９ａ  貫通孔
２０    溝部
２１    突出孔
２２    案内部材
２２ａ  貫通孔
２３    中軸
２４    中実部
２４ａ  貫通孔
【図１】
2009078484.tif 000003
【図２】
2009078484.tif 000004
【図３】
2009078484.tif 000005
【図４】
2009078484.tif 000006
【図５】
2009078484.tif 000007
【図６】
2009078484.tif 000008
【図７】
2009078484.tif 000009
【図８】
2009078484.tif 000010